(57)【特許請求の範囲】
【請求項１】
非接触にて内皮細胞の撮影及び被検眼の角膜の膜厚測定を行う眼科装置であって、被検眼の角膜内皮を撮影する撮像部と、該撮像部で撮影された角膜内皮画像から内皮細胞の境界を検出して該境界を境界線で網がけする画像処理を行う制御部と、前記内皮細胞の前記境界が前記境界線で網がけされた解析画像を表示する表示部と、操作部とを具備し、前記制御部は前記操作部からの入力に基づき前記境界線の透明度を変更することを特徴とする眼科装置。
【請求項２】
前記表示部は前記操作部を兼ねるタッチパネルであり、前記制御部は前記表示部に対する画面の押下を検出し、押下位置からのスライド方向及び距離に基づき前記境界線の透明度を変更する請求項１の眼科装置。
【請求項３】
前記制御部は、前記角膜内皮画像と前記解析画像とを前記表示部に並べて表示させる請求項１又は請求項２の眼科装置。
【発明の詳細な説明】
【技術分野】
【０００１】
本発明は角膜の健全性を診断する為の角膜の内皮細胞を撮影する眼科装置に関するものである。
【背景技術】
【０００２】
角膜内皮の測定を行う眼科装置では、角膜内皮画像を撮影し、該角膜内皮画像を解析することにより角膜内皮を測定し、内皮細胞の形状や大きさ等を検出している。
【０００３】
角膜内皮は再生不能な内皮細胞によって形成されており、内皮細胞の健全性は、内皮細胞の大きさ、形状によって診断される。又、内皮細胞の大きさは、内皮細胞の密度によって判定することができ、形状は内皮細胞の面積の変動によって判断できる。内皮細胞の密度は、撮影された画像内の内皮細胞の個数を数えることで、撮影した範囲と個数により統計値としての内皮細胞の密度が得られる。
【０００４】
撮影された角膜内皮画像からは、内皮細胞の形状や大きさを特定する為の、内皮細胞の境界を網がけした境界線を解析により得ることができるが、境界線の位置は境界の位置と必ずしも一致しているわけではなく、解析を行う際には、検者が角膜内皮画像をモニタ等に表示し、表示された角膜内皮画像から境界と境界線の位置が一致しているかを判断し、必要に応じて境界線の追加や削除等の編集処理を行う必要がある。
【０００５】
然し乍ら、従来の眼科装置では、角膜内皮画像の境界線をＯＮ／ＯＦＦする機能しか有しておらず、角膜内皮画像の明るさによっては境界線が見え難いことがあり、境界と境界線の位置が一致しているかを判断するのが困難であった。
【先行技術文献】
【特許文献】
【０００６】
【特許文献１】特開２００７−１３０２４６号公報
【発明の概要】
【発明が解決しようとする課題】
【０００７】
本発明は斯かる実情に鑑み、角膜内皮画像の明暗に拘らず、内皮細胞の境界と境界線とを容易に判別可能な眼科装置を提供するものである。
【課題を解決するための手段】
【０００８】
本発明は、非接触にて内皮細胞の撮影及び被検眼の角膜の膜厚測定を行う眼科装置であって、被検眼の角膜内皮を撮影する撮像部と、該撮像部で撮影された角膜内皮画像から内皮細胞の境界を検出して該境界を境界線で網がけする画像処理を行う制御部と、前記内皮細胞の前記境界が前記境界線で網がけされた解析画像を表示する表示部と、操作部とを具備し、前記制御部は前記操作部からの入力に基づき前記境界線の透明度を変更する眼科装置に係るものである。
【０００９】
又本発明は、前記表示部は前記操作部を兼ねるタッチパネルであり、前記制御部は前記表示部に対する画面の押下を検出し、押下位置からのスライド方向及び距離に基づき前記境界線の透明度を変更する眼科装置に係るものである。
【００１０】
更に又本発明は、前記制御部は、前記角膜内皮画像と前記解析画像とを前記表示部に並べて表示させる眼科装置に係るものである。
【発明の効果】
【００１１】
本発明によれば、非接触にて内皮細胞の撮影及び被検眼の角膜の膜厚測定を行う眼科装置であって、被検眼の角膜内皮を撮影する撮像部と、該撮像部で撮影された角膜内皮画像から内皮細胞の境界を検出して該境界を境界線で網がけする画像処理を行う制御部と、前記内皮細胞の前記境界が前記境界線で網がけされた解析画像を表示する表示部と、操作部とを具備し、前記制御部は前記操作部からの入力に基づき前記境界線の透明度を変更するので、前記角膜内皮画像の明暗により前記境界線を単にＯＮ／ＯＦＦするだけでは判別し難かった箇所についても、前記境界の位置と前記境界線の位置とが一致しているかを容易に判別することができ、作業性及び作業の正確性を向上させることができる。
【００１２】
又本発明によれば、前記表示部は前記操作部を兼ねるタッチパネルであり、前記制御部は前記表示部に対する画面の押下を検出し、押下位置からのスライド方向及び距離に基づき前記境界線の透明度を変更するので、操作性が向上し、作業性及び作業の正確性を更に向上させることができる。
【００１３】
更に又本発明によれば、前記制御部は、前記角膜内皮画像と前記解析画像とを前記表示部に並べて表示させるので、境界の位置と境界線の位置とが一致しているかを容易に判別することができ、作業性を向上させることができるという優れた効果を発揮する。
【図面の簡単な説明】
【００１４】
【図１】本発明の実施例に係る眼科装置の概略構成図である。
【図２】該眼科装置に於けるＸＹアライメント投影系、固視投影系を示す概略構成図である。
【図３】前記固視投影系に用いられる固視標の一例である固視光源の説明図である。
【図４】前記眼科装置の制御装置の概略構成図である。
【図５】前記眼科装置の表示部に表示される解析結果画面の表示例を示す説明図である。
【図６】前記眼科装置の表示部に表示されるマニュアル編集画面の表示例を示す説明図であり、（Ａ）は境界線の濃さを最小にした場合を示し、（Ｂ）は該境界線の濃さを最大にした場合を示している。
【発明を実施するための形態】
【００１５】
以下、図面を参照しつつ本発明の実施例を説明する。
【００１６】
先ず、本発明の実施例に係る眼科装置の概略構成について、図１〜図３により説明する。
【００１７】
図１中、Ｅは被検眼、２はＸＹＺの三軸方向に移動可能な装置本体を示している。該装置本体２の内部に、前眼部観察光学系３と、撮影用照明光学系４と、撮影光学系５と、Ｚアライメント投影系６と、Ｚアライメント検出系７とを有している。
【００１８】
更に、図２に示される様に、前記装置本体２の内部にはＸＹアライメント投影系８、固視投影系９が設けられ、ＸＹアライメント検出系１０は前記前眼部観察光学系３と兼用となっている。
【００１９】
更に、構成を説明する。
【００２０】
図１に於いて、前記前眼部観察光学系３は左右の被検眼Ｅに対応して配設され、前記前眼部観察光学系３の主光軸Ｏ１はそれぞれ前記被検眼Ｅの光軸と合致する様に設けられ、前記主光軸Ｏ１は前記被検眼Ｅの角膜の頂点Ｐを通過する様に設定される。
【００２１】
前記主光軸Ｏ１上に前記被検眼Ｅ側からハーフミラー１５、対物レンズ１６、受光素子１７が設けられ、前記主光軸Ｏ１に対して挿脱可能な遮光板１８が設けられている。前記受光素子１７には、ＣＣＤ素子が用いられ、又、該受光素子１７は前記対物レンズ１６に関して被検眼Ｅの角膜Ｃと共役の位置に配置されている。前記撮影光学系５及び前記受光素子１７等は撮像部１９を構成する。
【００２２】
前記遮光板１８は、前眼部観察時には前記主光軸Ｏ１から退避し、且つ、後述の角膜内皮細胞撮影時には光路中に挿入される。
【００２３】
前記撮影用照明光学系４は、前記主光軸Ｏ１に対して所定角度、例えば１７゜〜２２゜のいずれかの角度で傾斜し、前記頂点Ｐを通過する投光光軸Ｏ２を有し、該投光光軸Ｏ２上に被検眼Ｅから離反する位置から撮影用照明光源２１、集光レンズ２２、スリット板２３、ダイクロイックミラー２４、対物レンズ２５が設けられている。
【００２４】
前記撮影用照明光源２１としては、可視光、例えば、緑色光を発する発光ダイオード（ＬＥＤ）が用いられる。前記スリット板２３はスリット孔が穿設されており、前記撮影用照明光源２１から発せられた可視光がスリット光として、照射される。又、前記スリット板２３で形成されるスリット幅は、前記角膜Ｃ表面で反射された反射光と内皮からの反射光とが分離できる幅に制限される。
【００２５】
前記Ｚアライメント投影系６は前記ダイクロイックミラー２４によって分岐される光軸Ｏ３上に光源２６、集光レンズ２７、スリット板２８が設けられている。前記光源２６としては、赤外光を射出する発光ダイオード（ＬＥＤ）が用いられる。
【００２６】
前記ダイクロイックミラー２４は緑色光を透過し、赤外光を反射する様になっている。又、前記スリット板２３及び前記スリット板２８と前記角膜Ｃとは前記対物レンズ２５に関して共役となっている。
【００２７】
前記撮影光学系５は、前記主光軸Ｏ１に対して前記投光光軸Ｏ２に関し対称となっている撮影光軸Ｏ４を有し、該撮影光軸Ｏ４は前記頂点Ｐを透過する。
【００２８】
該撮影光軸Ｏ４上には、前記被検眼Ｅ側から対物レンズ３１、ダイクロイックミラー３２、ミラー３４を有し、該撮影光軸Ｏ４は前記ミラー３４で偏向され、更に撮影光軸Ｏ４上には焦点調整用のリレーレンズ３５、ミラー３７が設けられ、該ミラー３７で反射された光束は前記受光素子１７に結像される様になっている。前記リレーレンズ３５を通過した撮影光軸Ｏ４には遮蔽板３６が挿脱可能となっている。又、前記ダイクロイックミラー３２は可視光を透過させて赤外光を反射する透過特性を有する。前記リレーレンズ３５は、レンズ駆動機構３９によって光軸方向に移動可能となっている。
【００２９】
前記ダイクロイックミラー３２で反射され偏向される光軸Ｏ５上には受光センサ３８が設けられ、該受光センサ３８と前記角膜Ｃとは前記対物レンズ３１に関し共役となっている。前記ダイクロイックミラー３２は赤外光を反射し、緑色光を透過する光学特性を有しており、前記光源２６で射出され、前記角膜Ｃで反射された赤外光を前記受光センサ３８に導く。前記ダイクロイックミラー３２、前記受光センサ３８は前記Ｚアライメント検出系７を構成する。
【００３０】
前記ハーフミラー１５で分岐された光軸Ｏ６上にはリレーレンズ４１、ダイクロイックミラー４２が設けられ、更に該ダイクロイックミラー４２の通過光軸上には固視光源４３が設けられている。
【００３１】
該固視光源４３は、図３に示される様に、発光素子保持板４４に複数の発光ダイオード（ＬＥＤ）４５が設けられたものである。該ＬＥＤ４５は、前記光軸Ｏ６の通過位置を中心とし、スリット光の幅方向に複数、例えば２個又は３個（図示では３個４５ａ，４５ｂ，４５ｃ）配設され、更に前記光軸Ｏ６の通過位置を中心とした円周上に所定角度ピッチで配設される。図示では、スリット幅方向に３、２つの同心円上に８及び６の前記ＬＥＤ４５が配置された例が示されている。前記複数のＬＥＤ４５は、可視光、例えば緑色光を発光し、個々に独立して点灯可能となっている。
【００３２】
尚、幅方向に設けられた前記ＬＥＤ４５ａ，４５ｂ，４５ｃのピッチは、被検者が前記ＬＥＤ４５ａ，４５ｂ，４５ｃを固視した場合に、前記撮影光学系５を介し前記受光素子１７（撮像部１９）で得られる角膜内皮画像が所要範囲でオーバラップする様に設定される。
【００３３】
前記ダイクロイックミラー４２で反射された光軸上には、リレーレンズ４７、ＸＹアライメント用光源４６が設けられている。該ＸＹアライメント用光源４６には、赤外光を発する発光ダイオードが用いられる。前記リレーレンズ４７、前記ＸＹアライメント用光源４６等は、前記ＸＹアライメント投影系８を構成する。
【００３４】
前記受光センサ３８が受光した結果、及び前記受光素子１７が受光した結果は、アライメント検出部４８で検出され、検出結果は制御部４９に出力される。該制御部４９は検出結果に基づき本体駆動部５２（図４参照）を制御し、前記装置本体２を、ＸＹＺの所要の方向に移動させ、被検眼Ｅと前記装置本体２とのアライメントを実行する。
【００３５】
図４は、眼科装置の制御装置５１の概略を示している。
【００３６】
該制御装置５１は、主に前記撮像部１９、前記アライメント検出部４８、前記固視光源４３、前記本体駆動部５２、記憶部５３、操作部５５、表示部５４を具備している。尚、本実施例に於いては、該表示部５４は操作部を兼ねるタッチパネルであり、該表示部５４を介して各種操作が行える様になっている。
【００３７】
前記アライメント検出部４８からアライメント検出結果が入力されると、前記制御部４９は検出結果に基づき前記本体駆動部５２を駆動し、前記装置本体２をアライメントさせる方向に変位させる。又、前記制御部４９は前記撮像部１９及び前記固視光源４３を同期制御し、前記ＬＥＤ４５ａ，４５ｂ，４５ｃの個々の点灯を制御し、合わせて前記撮像部１９による内皮細胞の画像（角膜内皮画像）を取得する。
【００３８】
又、前記撮像部１９で取得された角膜内皮画像５９（後述）は前記制御部４９に送出され、内皮細胞の境界の検出、内皮細胞の数及び密度の演算、角膜厚の演算等の所定の解析処理が行われる。その後、解析結果に基づき前記角膜内皮画像５９に対して所要の画像処理がなされ、前記記憶部５３に格納され、或は前記表示部５４に表示される。
【００３９】
図５は、前記撮像部１９による角膜内皮の撮影後、前記表示部５４に表示される解析結果画面５７を示している。
【００４０】
該解析結果画面５７の画面中央部には、前記角膜内皮画像５９と解析画像６１が並んで表示され、該解析画像６１の画面右側に前眼部画像６２及び各種解析結果６３が表示される。
【００４１】
前記角膜内皮画像５９は、画像処理を施していない角膜内皮の元画像となっており、前記解析画像６１は、前記角膜内皮画像５９に対して画像処理を行い、検出した内皮細胞６４の境界を所定の色、例えば黒色の境界線６５で網がけした画像となっている。
【００４２】
又、前記解析結果６３としては、角膜厚（ＣＣＴ）、細胞密度（ＣＤ）、変動係数（ＣＶ）、六角細胞出現率（ＨＥＸ）、解析細胞数（Ｎ）、最小細胞面積（ＭＩＮ）、最大細胞面積（ＭＡＸ）、平均細胞面積（ＡＶＧ）、細胞面積標準偏差（ＳＤ）等の解析値が表示されると共に、前記内皮細胞６４の形状の分布や面積の分布等を表すグラフ等が表示される。
【００４３】
尚、前記解析結果画面５７では、前記解析画像６１を指等で押下した際に、前記制御部４９が指をスライドさせた方向及び距離を検出できる様になっており、検出したスライド方向及び距離に基づき、前記境界線６５の濃淡（透明度）を変更できる様になっている。
【００４４】
例えば、前記解析画像６１を押下した指を下方向にスライドさせることで前記境界線６５の色が薄くなり、最終的には該境界線６５が消えて前記角膜内皮画像５９と一致する。又、前記解析画像６１を押下した指を上方向にスライドさせることで前記境界線６５の色が濃くなり、最終的には該境界線６５が黒く表示されて図５に示される前記解析画像６１と一致する様になっている。
【００４５】
又、前記解析結果画面５７は画面下部には、再撮影ボタン６７、マニュアル編集ボタン６８、次の部位へボタン６９等の各種指示入力ボタンが表示され、検者が指等で指示入力ボタンを押下することで、各指示入力ボタンに対応した指示が前記制御部４９に入力される様になっている。
【００４６】
前記再撮影ボタン６７を押下することで、同一部位について再度撮影を行わせることができ、前記マニュアル編集ボタン６８を押下することで、前記表示部５４の表示をマニュアル編集画面７１（後述）に切替えることができ、又撮影する部位が２つ以上ある場合には、前記次の部位へボタン６９を押下することで次の部位の撮影を行わせることができる。
【００４７】
図６（Ａ）（Ｂ）は、前記マニュアル編集画面７１を示している。
【００４８】
該マニュアル編集画面７１の画面中央部には編集画像７２が表示され、該編集画像７２の画面左端部にはサムネイル画像７３が表示されている。又、前記マニュアル編集画面７１の画面右端部及び下端部には、境界線追加ボタン７４、境界線削除ボタン７５、除外ボタン７６、画像処理ボタン７７、拡大縮小ボタン７８、元に戻すボタン７９、適用ボタン８１、キャンセルボタン８２等の各種指示入力ボタンが表示され、検者が指等で指示入力ボタンを押下することで、各指示入力ボタンに対応した指示が前記制御部４９に入力される様になっている。
【００４９】
前記サムネイル画像７３は、前記解析画像６１全体を表す画像であり、前記編集画像７２は、前記サムネイル画像７３中の指定された箇所を指定倍率で拡大した拡大画像となっている。尚、図中に於いては、指定倍率が１倍となっているので、前記サムネイル画像７３と前記編集画像７２とは同一となっている。
【００５０】
前記マニュアル編集画面７１では、例えば検者が指により該サムネイル画像７３中の所定の箇所を押下することで、指定位置が変更され、前記編集画像７２として表示される画像を切替えることができる。
【００５１】
又、該編集画像７２が前記サムネイル画像７３の一部の拡大画像となっている場合には、前記編集画像７２を押下し、押下状態を維持したまま指を任意の方向にスライドさせることで、スライドさせた方向及び距離に応じて該編集画像７２の表示位置をずらすことができる。
【００５２】
又、前記マニュアル編集画面７１では、前記解析結果画面５７と同様、前記マニュアル編集画面７１の前記編集画像７２及び前記サムネイル画像７３以外の箇所を指で押下した際に、前記制御部４９が指をスライドさせた方向及び距離を検出できる様になっており、検出したスライド方向及び距離に基づき、前記境界線６５の濃淡を変更できる様になっている。
【００５３】
例えば、前記マニュアル編集画面７１に押下された指を下方向にスライドさせた際には、図６（Ａ）に示される様に、前記境界線６５の色が薄くなり、最終的には該境界線６５が消えて前記解析結果画面５７に表示された前記角膜内皮画像５９と一致する。又、前記マニュアル編集画面７１に押下された指を上方向にスライドさせた際には、図６（Ｂ）に示される様に、前記境界線６５の色が濃くなり、最終的には該境界線６５が黒く表示されて前記解析結果画面５７に表示された前記解析画像６１と一致する様になっている。
【００５４】
前記編集画像７２の編集を行う際には、前記境界線追加ボタン７４を押下することで、前記編集画像７２中の前記境界線６５を追加するモードへと切替えることができ、境界の箇所に前記境界線６５が存在しない場合に、画面上で境界をなぞることで前記境界線６５を追加することができる。
【００５５】
又、前記境界線削除ボタン７５を押下することで、前記編集画像７２中の前記境界線６５を削除するモードへと切替えることができ、該境界線６５が境界以外の箇所に存在する場合に、画面上で余分な前記境界線６５を押下することで、該境界線６５を削除することができる。
【００５６】
又、前記除外ボタン７６を押下することで、前記境界線６５で囲まれた前記編集画像７２中の前記内皮細胞６４を解析から除外するモードへと切替えることができ、画面上で前記内皮細胞６４を押下することで、押下した該内皮細胞６４を解析対象から除外することができる。
【００５７】
又、前記画像処理ボタン７７を押下することで、前記制御部４９に画像処理を行わせ、前記内皮細胞６４を見易くする為にエッジを強調した画像を表示させることができる。又、前記拡大縮小ボタン７８を押下することで、前記編集画像７２の指定倍率を変更し、前記編集画像７２を拡大或は縮小させることができる。
【００５８】
又、前記元に戻すボタン７９を押下することで、前記マニュアル編集画面７１に於いて編集された内容を破棄し、元の状態に戻すことができ、前記適用ボタン８１を押下することで、前記マニュアル編集画面７１に於いて編集された内容を適用し、前記解析結果画面５７へと戻ることができ、前記キャンセルボタン８２を押下することで、前記マニュアル編集画面７１に於いて編集された内容を破棄し、前記解析結果画面５７へと戻ることができる。
【００５９】
而して、検者が前記表示部５４に表示された各指示入力ボタンを押下することで、前記制御部４９に撮影に必要な条件、撮影開始等の指示が入力されると共に、表示された画像の編集及び所要の処理の実行等の指示が入力される。
【００６０】
以下、眼科装置の作用について説明する。
【００６１】
先ず、前記光源２６を点灯し、前記角膜Ｃでの反射光を前記受光センサ３８により受光し、該受光センサ３８上での受光位置と基準位置との偏差を求め、該偏差が０になる様にＺ方向に前記装置本体２を変位させる。尚、前記Ｚアライメント投影系６から射出される検出光は、スリット状であるので、前記受光センサ３８はスリット光の幅方向に延びるラインセンサとしてもよい。
【００６２】
Ｚアライメントが完了した後、或はＺアライメントと並行して前記ＸＹアライメント用光源４６から点状の検出光が射出され、前記角膜Ｃで反射され、反射された検出光は前記受光素子１７で受光され、該受光素子１７上での受光位置と基準位置との偏差が求められる。該偏差が０になる様にＸ方向又はＹ方向に前記装置本体２を変位させ、アライメントを実行する。
【００６３】
アライメント完了後、角膜内皮撮影が開始される。
【００６４】
前記固視光源４３の中心に位置する前記ＬＥＤ４５ａ，４５ｂ，４５ｃが所定の時間間隔で１つずつ点灯される。更に、前記撮影用照明光源２１が前記ＬＥＤ４５ａ，４５ｂ，４５ｃの点灯と同期して点灯され、前記スリット板２３を経てスリット光となった照明光が前記角膜Ｃに照射される。
【００６５】
前記ＬＥＤ４５ａ，４５ｂ，４５ｃの１つ、例えば前記ＬＥＤ４５ａが点灯されることで、被検者の視軸が前記ＬＥＤ４５ａに固視され、その時の被検眼Ｅの状態での内皮撮影が行われる。更に前記ＬＥＤ４５ｂ，４５ｃを個々に点灯させることで、視軸の向きが変り、異なる部位の角膜内皮撮影を行うことができる。
【００６６】
撮影結果は前記解析結果画面５７として前記表示部５４に表示される。
【００６７】
検者は、前記解析結果画面５７に並んで表示されている前記角膜内皮画像５９と前記解析画像６１を見比べ、又該解析画像６１を押下した指を上下にスライドさせて前記境界線６５の濃淡を調整し、前記角膜内皮画像５９が正常に撮影されているか、又前記内皮細胞６４の境界に前記境界線６５が正しく網がけされているかを判断する。
【００６８】
前記角膜内皮画像５９が正常に撮影され、前記境界線６５が正しく網がけされていると検者が判断した場合には、前記次の部位へボタン６９を押下して次の部位の撮影を行い、次の部位に於ける前記解析結果画面５７についても上記と同様の判断を行う。
【００６９】
前記角膜内皮画像５９が正常に撮影されていないと検者が判断した場合には、前記再撮影ボタン６７を押下して同一部位の撮影を行い、前記表示部５４に表示された前記解析結果画面５７について再度判断を行う。
【００７０】
又、前記角膜内皮画像５９は正常に撮影されているが、前記境界線６５が正しく網がけされていないと検者が判断した場合には、前記マニュアル編集ボタン６８を押下し、前記表示部５４の表示が前記解析結果画面５７から前記マニュアル編集画面７１へと切替えられ、編集処理が行われる。
【００７１】
該マニュアル編集画面７１に於いては、検者は前記拡大縮小ボタン７８を押下して前記編集画像７２の倍率を変化させ、前記サムネイル画像７３の所要の位置を押下して確認したい箇所の概略位置を前記編集画像７２として表示させ、該編集画像７２を押下した指をスライドさせて確認したい箇所を表示させる。
【００７２】
更に、前記マニュアル編集画面７１の前記編集画像７２及び前記サムネイル画像７３以外の箇所を指で押下し、押下した指を上下にスライドさせて前記境界線６５の濃淡を変化させることで、検者が前記内皮細胞６４の境界の位置と前記境界線６５の位置が一致しているかを判断する。
【００７３】
上記判断に基づき、検者は各指示入力ボタンを押下して前記境界線６５の追加や削除等の所定の編集処理を行う。編集後は、前記適用ボタン８１を押下して前記表示部５４の表示を前記解析結果画面５７へ戻し、編集処理を終了する。
【００７４】
最後に、該解析結果画面５７に於いて前記次の部位へボタン６９を押下することで、当該部位に於ける角膜内皮の撮影が終了する。
【００７５】
上述の様に、本実施例では、前記解析結果画面５７に於いて、指等により前記解析画像６１を押下し、押下した指を上下にスライドさせることで、前記制御部４９がスライド方向及び距離に基づいて前記境界線６５の濃淡を変更する様になっている。又、前記マニュアル編集画面７１に於いても、前記編集画像７２及び前記サムネイル画像７３以外の部分を指等で押下し、押下した指を上下にスライドさせることで、前記制御部４９がスライド方向及び距離に基づいて前記境界線６５の濃淡を変更する様になっている。
【００７６】
従って、画像の明暗により該境界線６５を単にＯＮ／ＯＦＦするだけでは判別し難かった箇所についても、前記内皮細胞６４の境界の位置と前記境界線６５の位置が一致しているかを容易に判別することができ、作業性及び編集処理の正確性を向上させることができる。
【００７７】
又、前記解析結果画面５７に於いて、前記撮像部１９にて撮影された角膜内皮の元画像である前記角膜内皮画像５９と、該角膜内皮画像５９中の前記内皮細胞６４の境界を前記境界線６５で網がけした前記解析画像６１とを並べて表示しており、同じ画面上で前記角膜内皮画像５９と前記解析画像６１とを見比べることができるので、前記内皮細胞６４の境界の位置と前記境界線６５の位置が一致しているかを容易に判別することができ、作業性を向上させることができる。
【００７８】
更に、本実施例では、前記表示部５４をタッチパネルとしているので、各種指示を画面上から直接入力可能であり、操作性を向上させることができる。
【００７９】
尚、本実施例に於いては、前記表示部５４をタッチパネルとしているが、マウス等の前記操作部５５により画面上をクリックし、クリックした状態で前記操作部５５を上下に移動させることで前記境界線６５の濃淡を変更する様にしてもよい。
【００８０】
又、前記解析結果画面５７及び前記マニュアル編集画面７１にスクロールバーを設け、指により、或は前記操作部５５によりスクロールバーを移動させることで前記境界線６５の濃淡を変更する様にしてもよい。
【符号の説明】
【００８１】
２              装置本体
１９            撮像部
４９            制御部
５１            制御装置
５４            表示部
５５            操作部
５７            解析結果画面
５９            角膜内皮画像
６１            解析画像
６４            内皮細胞
６５            境界線
７１            マニュアル編集画面
７２            編集画像
７３            サムネイル画像
【図１】
0006363275.tif 000002
【図２】
0006363275.tif 000003
【図３】
0006363275.tif 000004
【図４】
0006363275.tif 000005
【図５】
0006363275.tif 000006
【図６】
0006363275.tif 000007